(57)【要約】【課題】超音波受信信号に対して乗算器を用いた位相回転を行うことにより、中心周波数付近のみならず中心周波数から離れた信号成分に対しても適度な遅延を等価的に行うことが可能な超音波診断装置を提供することである。【解決手段】超音波診断装置は複数の超音波振動子を用いて被検体に超音波パルスを送受信する超音波送受手段と、複数の超音波振動子において受信された複数の受信チャネルiの複数の受信信号の時間を調整して加算する遅延加算回路と、遅延加算回路により生成された受信信号から超音波画像データを生成する画像データ生成手段とを有する。遅延加算回路は、単一の受信チャネルiの受信信号に対して互いに周波数が同じで位相が異なる参照信号Ri1, Ri2を用いた少なくとも２つの乗算器Mi1,Mi2により位相回転処理を行うように構成される。【選択図】  図２
2008183306.tif 000002
【特許請求の範囲】
【請求項１】
複数の超音波振動子を用いて被検体に超音波パルスを送受信する超音波送受手段と、
前記複数の超音波振動子において受信された複数の受信チャネルの複数の受信信号の時間を調整して加算する遅延加算回路と、
前記遅延加算回路により生成された受信信号から超音波画像データを生成する画像データ生成手段とを有し、
前記遅延加算回路は、単一の受信チャネルの受信信号に対して互いに周波数が同じで位相が異なる参照信号を用いた少なくとも２つの乗算器により位相回転処理を行うように構成されることを特徴とする超音波診断装置。
【請求項２】
前記遅延加算回路は、前記単一の受信チャネルの受信信号の帯域内における少なくとも２つの周波数について前記位相回転処理による等価的な遅延時間が同一となるように設定された位相の前記参照信号を用いて前記位相回転処理を行うように構成され、かつ前記少なくとも２つの乗算器の出力側にそれぞれ前記少なくとも２つの周波数間における干渉を抑制するフィルタを備えることを特徴とする請求項１記載の超音波診断装置。
【請求項３】
前記フィルタを、帯域通過型または低域通過型および高域通過型の組み合わせとしたことを特徴とする請求項２記載の超音波診断装置。
【請求項４】
前記フィルタは、前記フィルタを重畳して得られるフィルタの通過領域の特性が前記フィルタのそれぞれの通過領域と同等な平坦度を有するように遮断特性が決定されることを特徴とする請求項２記載の超音波診断装置。
【請求項５】
前記遅延加算回路は、前記単一の受信チャネルの受信信号および前記位相回転処理後の受信信号の少なくとも一方に対して時間遅延処理を行う遅延線を備えることを特徴とする請求項１記載の超音波診断装置。
【請求項６】
前記遅延加算回路は、前記複数の超音波振動子を収納する超音波プローブ側に内蔵されることを特徴とする請求項１記載の超音波診断装置。
【発明の詳細な説明】
【技術分野】
【０００１】
本発明は、超音波ビームを走査して被検体内の画像を得る超音波診断装置に係り、特に多チャネルのアレイ型超音波振動子で受信される超音波エコーにそれぞれ異なる時間遅延をかけて加算処理を行うことにより超音波受信ビームのフォーカシングやステアリングを行う電子スキャン型の超音波診断装置に関する。
【背景技術】
【０００２】
超音波診断装置は、超音波ビームを走査して被検体内の画像を得る装置である。超音波診断装置のうち、多チャネルのアレイ型超音波振動子を用いて受信される超音波エコー信号にそれぞれ異なる時間遅延をかけて加算処理を行うことにより超音波受信ビームのフォーカシングやステアリングを行うものは電子スキャン型を呼ばれる（例えば特許文献１および特許文献２参照）。
【０００３】
この電子スキャン型の超音波診断装置では、超音波振動子から得られる受信信号のタイミングを調整して超音波受信ビームを形成するために受信遅延加算回路において受信信号の遅延が行われる。受信遅延加算回路における受信信号の遅延方法としては、遅延線を用いて受信信号の時間を直接遅らせる方法、乗算器で位相回転を与えて等価的に受信信号の遅延を行う方法および遅延線と乗算器とを組み合わせる方法がある。
【０００４】
始めに遅延線を用いる受信遅延方法について説明する。
【０００５】
図９は、従来の超音波診断装置に備えられる遅延線を用いた受信遅延加算回路の構成図である。
【０００６】
図９に示す従来の受信遅延加算回路１は、複数の受信チャネルｉに対応する複数の遅延線DLiと単一の加算器Sとを備えている。図示しないプリアンプから出力される複数の超音波振動子からの受信信号は、それぞれ対応する遅延線DLiに導かれる。遅延線DLiとしては、直接受信信号の時間を遅らせるLC遅延線、シフトレジスタやディジタルフィルタにより構成されるディジタル遅延線、CCD (Charge Coupled Device) などの電荷転送素子を用いた遅延線を用いることができる。LC遅延線は、コイルとコンデンサにより構成されるアナログ遅延線である。各遅延線DLiは、図示しない制御系からの制御信号によって制御され、受信信号の遅延を行う。各遅延線DLiの出力先は、共通の加算器Sとされ、加算器Sにおいて各遅延線DLiにおいて遅延された受信信号が加算される。加算器Sにおいて加算された受信信号は、図示しない後段の信号処理部に出力される。
【０００７】
ここで受信チャネルｉに対応する遅延線DLiに入力される受信信号の包絡線（エンベロープ）をA(t)、中心周波数をfc、位相をφとすると受信信号は、式(1)のように表される。  
［数１］
Ai(t)・sin(ωc t＋φi)   (1)
但し、ωc＝２πfcである。
【０００８】
また、遅延線DLiにおける遅延時間をTdiとすると、遅延線DLiの出力は式(2)のように表される。  
［数２］
Ai(t−Tdi)・sin{ωfc (t−Tdi)＋φi}   (2)
すなわち、各遅延線DLiでは、受信信号の波形を変えることなく遅延時間Tdiだけ遅延することができる。
【０００９】
図１０は、図９に示す従来の受信遅延加算回路１の各遅延線DLiに入力する受信信号の波形を示す図であり、図１１は、図９に示す従来の受信遅延加算回路１の各遅延線DLiから出力される受信信号の波形を示す図である。
【００１０】
図１０に示すように、包絡線E1の受信信号S1と受信信号S1に対してTdiだけ時間が遅れた同じ波形の、包絡線E2の受信信号S2がそれぞれ対応する遅延線DLiに入力したとする。受信信号S1は、遅延線DLiにおいてTdiだけ遅延されるため、図１１に示すように遅延線DLiから出力される受信信号S1と受信信号S2とは互いに一致する。すなわち、各遅延線DLiの作用により互いにTdiの時間差のある複数の受信信号の波形を時間差のないように調整することができる。また、受信信号S1の包絡線E1と受信信号S2の包絡線E2も一致させることができる。
【００１１】
しかしながら、リアルタイム超音波診断装置における受信チャネルの数は通常100以上あり、各受信チャネルに遅延線を接続するため、受信遅延加算回路の規模が膨大になるという問題がある。さらに、近年２次元アレイ超音波振動子を用いたリアルタイム３次元超音波診断装置の開発が行われる。３次元超音波診断装置における受信チャネルの数は1000以上である。３次元超音波診断装置においても良好な超音波受信ビームを形成するためには全ての受信チャネルに遅延線を接続して超音波振動子で受信される受信信号の時間を調整する必要がある。しかしながら受信遅延加算回路の規模が膨大になるとともに超音波プローブを超音波診断装置に接続するケーブルの本数が非常に多くなり、実現性に欠けるという問題がある。
【００１２】
ケーブル本数を低減する対策としては、受信遅延加算回路の一部を超音波プローブ側に内蔵して数個の超音波振動子（サブアレイ）ごとに部分的な受信遅延を行って加算することが考えられる。
【００１３】
しかしながら、受信遅延加算回路の一部を超音波プローブ側に内蔵するためには、時間遅延を行う受信遅延加算回路の規模が大きいということが障害となる。
【００１４】
このような背景から受信遅延加算回路の規模を低減させる手法として回路規模の小さい乗算器を用いた位相回転により等価的に遅延を行う受信遅延加算回路を用いる方法や位相回転と遅延線による時間遅延を組み合わせることにより回路規模を低減する方法が考案されている。
【００１５】
そこで、乗算器を用いる受信遅延方法について説明する。
【００１６】
図１２は、従来の超音波診断装置に備えられる乗算器を用いた受信遅延加算回路の構成図である。
【００１７】
図１２に示す従来の受信遅延加算回路１Ａには、複数の受信チャネルiにそれぞれ対応する複数の第１のローパスフィルタ (LPF: low pass filter)LPFi、複数の第１の乗算器MPLi、単一の加算器S、単一の第２のローパスフィルタLPF、単一の第２の乗算器MPLが設けられる。複数の超音波振動子からの受信信号は、それぞれ対応する第１のローパスフィルタLPFiに導かれる。第１のローパスフィルタLPFiを経由した受信信号は、対応する第１の乗算器MPLiに導かれる。第１の乗算器MPLiでは、受信信号に位相制御された参照信号を乗算することに受信信号の位相回転が行われる。
【００１８】
すなわち、受信チャネルｉに対応する第１の乗算器MPLiに、式(1)に示す包絡線A(t)、中心周波数fc、位相φの受信信号が入力する。そして式(3)に示すように、周波数fr、位相φrの位相制御された参照信号が受信信号に乗算される。  
［数３］
sin(ωrt＋φri)   (3)
但し、ωr＝２πfrである。
【００１９】
そうすると、第１の乗算器MPLiの出力は式(4)に示すようになる。  
［数４］
Ai(t)・sin(ωct＋φi)・sin(ωrt＋φri)
＝(Ai(t)/2)・[−cos{(ωc＋ωr)t＋(φi＋φri)}＋cos{(ωc−ωr)t＋(φi−φri)}]
(4)
【００２０】
ここで、フィルタ（図示せず）を用いて、ωc＋ωrの成分を抽出し、受信信号の振幅の調整を行うと、式(5)に示す第１の乗算器MPLiの出力が得られる。  
［数５］
Ai(t)・cos{(ωc＋ωr)t＋(φi＋φri)}   (5)
【００２１】
つまり第１の乗算器MPLiによって、受信信号の周波数が参照信号の周波数との差分である中間周波数に変換される。各第１の乗算器MPLiの出力信号は、後段の加算器Sにおいて加算される。加算器Sにおいて加算された受信信号は、第２のローパスフィルタLPFを経由して第２の乗算器MPLに導かれる。
【００２２】
そして、第２の乗算器MPLにおいて、加算器Sにおいて加算された受信信号に第１の乗算器MPLiの参照信号と同じ周波数の参照信号が乗算される。これにより、第１の乗算器MPLiによって中間周波数に変換された加算後の受信信号の周波数がもとの周波数に戻される。ただし、加算後の受信信号を中間周波数のまま図示しない後段の信号処理部に出力して信号処理を行ってもよい。ここでは加算後の受信信号の中間周波数をもとの周波数に戻す場合について説明する。
【００２３】
すなわち、第２の乗算器MPLにおいて第１の乗算器MPLiにおいて用いた参照信号と同じ周波数の参照信号sinωrtを第１の乗算器MPLiの出力信号に乗算すると式(6)のようになる。  
［数６］
Ai(t)・cos{(ωc＋ωr)t＋(φi＋φri)}・sinωrt
＝(Ai(t)/2)・[sin{(ωc＋2ωr)t＋(φi＋φri)}−sin{ωct＋(φi＋φri)}]   (6)
【００２４】
そこで、フィルタ（図示せず）を用いてωcの成分を抽出し、信号振幅の調整を行うと、第２の乗算器MPLから出力される受信信号は、式(7)のようになる。  
［数７］
Ai(t)・sin{ωct＋(φi＋φri)}＝Ai(t)・sin{(ωct＋φri)＋φi}   (7)
ここで、遅延線DLiを用いて受信遅延を行う場合の式(2)と式(7)とを比較し、式(8)のように設定すれば、中心周波数fcのキャリア成分に対して遅延時間Tdiと等価の遅延を与えることができる。  
［数８］
φri＝−ωc・Tdi＝-2πfc・Tdi   (8)
【００２５】
図１３は、図１２に示す従来の受信遅延加算回路１Ａの第１の乗算器MPLiから出力される受信信号の波形を示す図である。
【００２６】
図１０に示すように、受信信号S1と受信信号S1に対してTdiだけ時間が遅れた同じ波形の受信信号S2がそれぞれ対応する第１の乗算器MPLiに入力したとする。そうすると、図１３に示すように受信信号S1の位相回転により周波数fcのキャリア成分は時間が受信信号S2の波形と一致する。尚、包絡線Ai(t) は位相回転の作用を受けないため遅延されない。従って、受信信号S1の包絡線E1と受信信号S1の包絡線E2とは一致せず、多少の誤差を生じる。
【００２７】
このようにして遅延線DLiを用いる場合と同様に乗算器MPLiを用いる位相回転によって遅延時間Tdの時間差のある受信信号の波形を時間差のないように調整することができる。
【００２８】
また、上述したように乗算器MPLiを用いる時間遅延では、中心周波数fcと参照周波数frの和と差が出力に現れるため、どちらを信号処理に使用するのかを選択するためのフィルタ（図示せず）が必要である。さらに、不要な帯域のノイズが第１の乗算器MPLiおよび第２の乗算器MPLのそれぞれの出力に周波数変換されて現れるため、ノイズの増加を防止するために第１の乗算器MPLiおよび第２の乗算器MPLの前段にそれぞれ第１のローパスフィルタLPFiおよび第２のローパスフィルタLPFが設けられる。そして、第１のローパスフィルタLPFiおよび第２のローパスフィルタLPFによって、不要な帯域の影響が抑制される。
【００２９】
しかし、乗算器は通常小さなデバイスであり、上述したフィルタを含めても小規模に構成することができる。このため、受信チャネルが多い場合に受信遅延加算回路の規模の増加を抑制することができる。
【００３０】
図１４は、従来の超音波診断装置に備えられる遅延線と乗算器の組み合わせによる受信遅延加算回路の構成図である。
【００３１】
図１４に示す受信遅延加算回路１Ｂには、複数の受信チャネルiにそれぞれ対応する複数の乗算器MPLiと複数の遅延線DLiの双方が設けられる。そして、直接受信信号の遅延を行う遅延線DLiと、乗算器MPLiによる位相回転を組み合わせて受信信号の遅延を行うことができる。この場合、遅延処理を乗算器MPLiと遅延線DLiとで分担するため、遅延線DLiの規模を図９に示す遅延線DLiのみにより遅延処理する場合に比べて若干小さくすることが可能である。
【特許文献１】特許第５，６７６，１４７号公報
【特許文献２】特許第５，５７３，００１号公報
【発明の開示】
【発明が解決しようとする課題】
【００３２】
しかしながら、遅延線を用いた受信遅延加算回路の場合、遅延線の周波数帯域内であればどの周波数成分の波形に対しても同一の時間遅延を行うことができるのに対し、位相回転による受信遅延加算回路の場合、受信信号の中心周波数では正確な遅延が可能であるものの、中心周波数から離れた信号成分に対しては遅延時間に誤差が生じるという問題がある。このため、位相回転による受信遅延加算回路の場合、受信音場が劣化して画質が低下する恐れがある。すなわち、乗算器を用いて受信信号の位相を回転する場合には回路規模を小さくすることができる反面、中心周波数から離れた信号成分については遅延時間の誤差が発生する。
【００３３】
図１５は、従来の位相回転による受信遅延加算回路において生成される信号を示す図である。
【００３４】
図１５（ａ），（ｂ），（ｃ）においてそれぞれ横軸は時間を示し、縦軸は受信信号の強度を示す。図１５（ａ）は、従来の位相回転による受信遅延加算回路に入力される２つの帯域を有する受信信号の例を示している。すなわち受信チャネル２の受信信号S2は受信チャネル１の受信信号S1に対して時間遅延Tdiを有する。
【００３５】
例えば受信信号S1の中心周波数がfc＝2.5MHzであり、±1MHzの帯域を有する場合について考える。受信信号S1に時間遅延Tdi＝50nsecの遅延を与える場合、式(8)は、式(9)となる。  
［数９］
φri＝-2πfc・Tdi＝-2π・2.5×106・50×10-9＝-π/4   (9)
【００３６】
式(9)から-π/4の位相回転を行うことになるが、-π/4の位相回転は2MHzの成分に対しては式(10)に示す遅延時間だけ遅延することと等価である。  
［数１０］
Tdi＝−φri/ω＝（π/4）/（2π・2×106）＝62.5nsec   (10)
【００３７】
また、-π/4の位相回転は3MHzの成分に対しては式(11)に示す遅延時間だけ遅延することと等価である。  
［数１１］
Tdi＝−φri/ω＝（π/4）/（2π・3×106）≒41.7nsec   (11)
【００３８】
すなわち式(10)や式(11)で示されるように、位相回転により受信信号S1の帯域の中心周波数において目的とする遅延を与えるようにしても、中心周波数から離れた周波数成分については遅延時間に誤差を生じる。
【００３９】
図１５（ｂ）は、位相回転処理後における時間調整された受信信号S1の波形および受信信号S2の波形を示す図である。図１５（ｂ）に示すように、受信信号S1の帯域の中心周波数付近では、受信信号S2と時間を一致させることができるが中心周波数から離れた周波数成分では時間的なずれが生じる。そして、図１５（ｂ）に示すような位相回転処理後における受信信号S1および受信信号S2をビームフォーミングのために加算すると受信信号S1および受信信号S2が適切に加算されず、加算後における受信信号の波形が受信チャネルでの受信信号S1,S2の波形と著しく異なる形状となる。
【００４０】
図１５（ｃ）は、図１５（ｂ）に示す位相回転後処理後における受信信号S1および受信信号S2を加算して得られた受信遅延加算回路の出力波形S3を示す図である。図１５（ｃ）に示すように加算後における受信信号の波形S3は、図１５（ａ）に示す受信チャネルでの受信信号S1,S2の波形と著しく異なる。この結果、超音波受信ビームの形状が劣化し、画質の低下を引き起こすという問題がある。
【００４１】
本発明はかかる従来の事情に対処するためになされたものであり、超音波受信信号に対して乗算器を用いた位相回転を行うことにより、中心周波数付近のみならず中心周波数から離れた信号成分に対しても適度な遅延を等価的に行うことが可能な超音波診断装置を提供することを目的とする。
【課題を解決するための手段】
【００４２】
本発明に係る超音波診断装置は、上述の目的を達成するために、請求項１に記載したように、複数の超音波振動子を用いて被検体に超音波パルスを送受信する超音波送受手段と、前記複数の超音波振動子において受信された複数の受信チャネルの複数の受信信号の時間を調整して加算する遅延加算回路と、前記遅延加算回路により生成された受信信号から超音波画像データを生成する画像データ生成手段とを有し、前記遅延加算回路は、単一の受信チャネルの受信信号に対して互いに周波数が同じで位相が異なる参照信号を用いた少なくとも２つの乗算器により位相回転処理を行うように構成されることを特徴とするものである。
【発明の効果】
【００４３】
本発明に係る超音波診断装置においては、超音波受信信号に対して乗算器を用いた位相回転を行うことにより、中心周波数付近のみならず中心周波数から離れた信号成分に対しても適度な遅延を等価的に行うことができる。
【発明を実施するための最良の形態】
【００４４】
本発明に係る超音波診断装置の実施の形態について添付図面を参照して説明する。
【００４５】
図１は本発明に係る超音波診断装置の実施の形態を示す構成図である。
【００４６】
超音波診断装置１０は、超音波プローブ１１、送受信回路１２、信号処理部１３、画像処理部１４、表示部１５、制御回路１６および操作パネル１７を備えている。超音波プローブ１１には、複数の超音波振動子１８が１列のアレイ状に配列される。超音波プローブ１１の各超音波振動子１８は、それぞれ送受信回路１２と電気的に接続され、送受信回路１２から電気パルス信号として印加された送信信号を超音波パルスに変換して被検体Ｏの心臓等の観測部位に送信する一方、被検体Ｏ内の観測部位の影響を受けて発生した超音波エコーを受信し、電気信号である受信信号に変換して送受信回路１２に与える機能を有する。
【００４７】
送受信回路１２は、超音波プローブ１１の各超音波振動子１８にそれぞれ印加する送信信号を生成し、生成した各送信信号を各超音波振動子１８に印加する一方、各超音波振動子１８から受けた受信信号に対して増幅処理や受信遅延加算処理等の所定の前処理を行うことにより指向性を有する受信信号を生成し、生成した受信信号を信号処理部１３に与える機能を有する。そのために、送受信回路１２には、送信遅延回路１９、受信遅延加算回路２０、複数のパルサ２１、複数のプリアンプ２２が設けられる。
【００４８】
送信遅延回路１９は、各パルサ２１と接続される。送信遅延回路１９は、各超音波振動子１８から送信される超音波送信信号によって指向性を有する超音波送信ビームが形成されるように各超音波振動子１８に印加される送信信号のタイミングを決定し、決定した基準となるタイミングからの遅延時間を対応するパルサ２１に与える機能を有する。遅延時間は、超音波ビームの送信方向に応じて互いに異なる値に決定される。
【００４９】
各パルサ２１は、それぞれ対応する超音波振動子１８と接続される。各パルサ２１は、所定の電圧レベルの電気パルスを発生し、発生した電気パルスを送信遅延回路１９から受けた遅延時間に従ってそれぞれ対応する超音波振動子１８に印加する機能を有する。
【００５０】
各プリアンプ２２は、それぞれ対応する超音波振動子１８と接続される。各プリアンプ２２は、それぞれ対応する超音波振動子１８からの微弱な受信信号を信号処理が可能なレベルまでに増幅し、増幅した受信信号を受信遅延加算回路２０に出力する機能を有する。
【００５１】
受信遅延加算回路２０は、各プリアンプ２２から入力した各受信チャネルの受信信号に対してそれぞれ互いに異なる遅延時間を用いて遅延処理を施し、遅延処理後の受信信号を加算する機能を有する。これにより超音波受信ビームが形成される。形成された超音波受信ビームは、受信遅延加算回路２０から信号処理部１３に出力される。
【００５２】
信号処理部１３は、受信遅延加算回路２０から取得した超音波受信ビームに対して信号処理を行うことにより、被検体Ｏ内の観測部位における心臓等の構造物の情報や観測部位における血流速度情報を検出する機能を有する。検出された構造物の情報や血流速度情報は、信号処理部１３から画像処理部１４に与えられる。
【００５３】
画像処理部１４は、信号処理部１３から受けた構造物の情報や血流速度情報を画像として表示させるための画像処理を行って画像データを生成し、生成した画像データを表示部１５に与える機能を有する。
【００５４】
表示部１５は、陰極線管(CRT: Cathode-Ray Tube)や液晶ディスプレイ(LCD: Liquid Crystal Display)等の表示デバイスで構成され、画像処理部１４から受けた画像データを表示させる機能を有する。
【００５５】
制御回路１６は、送信遅延回路１９、各プリアンプ２２、受信遅延加算回路２０、信号処理部１３、画像処理部１４および表示部１５を制御する機能を有する。
【００５６】
操作パネル１７は、制御回路１６に操作情報を入力するためのマウスやキー等の入力装置である。
【００５７】
次に超音波診断装置１０の動作および作用について説明する。
【００５８】
制御回路１６から送信遅延回路１９に制御信号が与えられると、送信遅延回路１９は超音波プローブ１１から所定の指向性を持つ超音波送信ビームが被検体Ｏに向けて形成されるように各超音波振動子１８から互いに異なるタイミングで送信される超音波パルスの送信遅延時間情報を生成する。生成された送信遅延時間情報は、送信遅延回路１９から対応するパルサ２１に与えられる。各パルサ２１は、所定の電圧レベルの電気パルスを発生し、発生した電気パルスを送信遅延回路１９から受けた遅延時間に従ってそれぞれ対応する超音波振動子１８に印加する。これにより、各超音波振動子１８から所定の時間遅延を伴う超音波パルスが被検体Ｏに向けて送信され、所定の指向性を持つ超音波送信ビームが形成される。
【００５９】
超音波送信ビームは被検体Ｏ内の構造物の境界等の音響インピーダンスの異なる界面で反射し、超音波エコーとして各超音波振動子１８により受信される。各超音波振動子１８においてそれぞれ受信された超音波エコーは、電気信号である受信信号に変換されて各プリアンプ２２に出力される。各プリアンプ２２は、それぞれ対応する超音波振動子１８からの微弱な受信信号を信号処理が可能なレベルまでに増幅し、増幅した受信信号を受信遅延加算回路２０に出力する。
【００６０】
受信遅延加算回路２０は、超音波振動子１８から各プリアンプ２２を経由して与えられた受信信号に対して時間遅延処理を行うことにより受信信号をタイミングを合わせる。そして、受信遅延加算回路２０は、時間遅延処理後の受信信号を加算して信号処理部１３に出力する。信号処理部１３は、受信遅延加算回路２０から取得した加算後の受信信号を検波して包絡線（エンベロープ）を受信データとして検出する。検出された受信データは、被検体Ｏ内の観測部位における心臓等の構造物の情報や観測部位における血流速度情報を示しており、信号処理部１３から画像処理部１４に与えられる。
【００６１】
画像処理部１４は、被検体Ｏ内の撮影断面に合わせて信号処理部１３から受けた受信データを座標変換し、画像表示に適した階調処理等の画像処理を施すことによって画像データを生成する。生成された画像データは、画像処理部１４から表示部１５に与えられる。これにより、表示部１５には、被検体Ｏ内の観測部位における形態がリアルタイムで表示される。
【００６２】
このような超音波診断装置１０の受信遅延加算回路２０は、受信信号の多チャネル化に対応できるように、高密度の回路構成を有する。
【００６３】
図２は、図１に示す受信遅延加算回路２０の構成を示す回路図である。
【００６４】
受信遅延加算回路２０は、複数の第３のローパスフィルタ３０(LPFi)、複数のアナログの第３の乗算器３１(Mi1, Mi2)、複数のフィルタ３２(Fi1, Fi2)、加算器３３(S)、第４のローパスフィルタ３４(LPF)、アナログの第４の乗算器３５(M)を備えている。
【００６５】
第３のローパスフィルタ３０(LPFi)は、各プリアンプ２２から出力される受信信号の複数の受信チャネルi（iは自然数）にそれぞれ対応している。すなわち、第３のローパスフィルタ３０(LPFi)はそれぞれ対応するプリアンプ２２の出力側と接続される。第３のローパスフィルタ３０(LPFi)は受信信号から不要な帯域の信号成分を除去して対応する複数の第３の乗算器３１(Mi1, Mi2)に出力する。すなわち、第３の乗算器３１(Mi1, Mi2)は、１つの受信チャネルiにつき複数個備えられ、各第３のローパスフィルタ３０(LPFi)の出力側は、それぞれ複数の第３の乗算器３１(Mi1, Mi2)と接続される。図２は、受信チャネルiごとに２つの第３の乗算器３１(Mi1, Mi2)を並列に設けた例を示している。
【００６６】
各第３の乗算器３１(Mi1, Mi2)では、それぞれ受信信号の位相を変化させることにより等価的に受信信号の時間遅延処理が行われる。そのために２つの第３の乗算器３１(Mi1, Mi2)のうち一方の第３の乗算器３１(Mi1)には周波数fr＋φi1の参照信号Ri1が、他方の第３の乗算器３１(Mi2) には周波数fr＋φi2の参照信号Ri2がそれぞれ与えられる。すなわち、各受信チャネルiに並列に接続された複数の第３の乗算器３１において、周波数が同じで互いに位相が異なる参照信号Ri1, Ri2を用いて受信信号の位相回転処理が行われる。
【００６７】
また、各第３の乗算器３１ごとに受信信号の互いに異なる２種以上の周波数成分を対象として時間遅延処理が行われる。そのために、参照信号Ri1, Ri2の位相は、各周波数成分について等価遅延時間が同一となるように設定される。例えば、２つの第３の乗算器３１(Mi1, Mi2)を用いて受信信号に対してTdの遅延を与える場合には、一方の第３の乗算器３１(Mi1)において受信信号の帯域内の周波数f1の信号成分が遅延処理の対象とされる。そして、一方の第３の乗算器３１(Mi1)では、式(12)に示す位相回転が受信信号に対して与えられる。  
［数１２］
φi１＝−ω1・Td ＝−2πf1・Td＝−2π・Td/T 1   (12)
ただし、T1＝1/f1である。
【００６８】
同様に他方の第３の乗算器３１(Mi2)では、受信信号の帯域内の周波数f2の信号成分が遅延処理の対象とされる。すなわち、式(13)に示す位相回転が受信信号に対して与えられる。  
［数１３］
φi2＝−ω2・Td ＝−2πf2・Td＝−2π・Td/T2   (13)
ただし、T2＝1/f2である。
【００６９】
例えば中心周波数が2.5MHzで±1MHzの帯域を有する受信信号を受信信号の帯域内でほぼ50nsec遅延する場合には、２つの第３の乗算器３１(Mi1, Mi2)を用いてそれぞれf1＝2MHzおよびf2＝3MHzの周波数の信号成分に対して50nsecに相当する位相回転φ1および位相回転φ2が与えられる。位相回転φ1および位相回転φ2はそれぞれ式(12)および式(13)から式(14-1)および式(14-2)のように求められる。  
［数１４］
φ1＝−ω1・Td ＝−2πf1・Td＝−2π・2×106・50×10-9＝−π/5   (14-1)
φ2＝−ω2・Td ＝−2πf2・Td＝−2π・3×106・50×10-9≒−π/6.67   (14-2)
【００７０】
従って２つの第３の乗算器３１(Mi1, Mi2)のそれぞれの参照信号Ri1, Ri2の波形は、式(15-1)および式(15-2)のように周波数fr (=ωr/2π)が同じで位相φi1, φi2がそれぞれ−π/5および−π/6.67の波形となる。  
［数１５］
Ri1＝sin(ωr t＋φi1)＝sin{(2πfr t−(π/5)}   (15-1)
Ri2＝sin(ωr t＋φi2)＝sin{(2πfr t−(π/6.67)}   (15-2)
【００７１】
そして、式(15-1)および式(15-2)に示す波形の参照信号Ri1, Ri2をそれぞれ対応する第３の乗算器３１(Mi1, Mi2)に入力することにより、中心周波数が2.5MHzで±1MHzの帯域を有する受信信号のうち2MHzの信号成分と3MHzの信号成分に対してそれぞれ50nsecの遅延を等価的に与えることができる。
【００７２】
すなわち一方の第３の乗算器３１(Mi1)の出力は周波数f1＋frにおいて周波数f1に対する50nsecの等価遅延時間が設定されたものであり、他方の第３の乗算器３１(Mi2)の出力は周波数f2＋frにおいて周波数f2に対する50nsecの等価遅延時間が設定されたものである。このように２つの第３の乗算器３１(Mi1, Mi2)の出力は互いに周波数が異なるため、そのまま加算すると干渉によって信号波形に歪みが生じる。
【００７３】
そこで、各第３の乗算器３１(Mi1, Mi2)の出力側には、それぞれ対応するフィルタ３２(Fi1, Fi2)が接続される。各フィルタ３２(Fi1, Fi2)では、各第３の乗算器３１(Mi1, Mi2)の出力信号に対して周波数帯域が異なることに起因する干渉を低減するためのフィルタリングが行われる。そして、これらのフィルタ３２(Fi1, Fi2)により第３の乗算器３１(Mi1, Mi2)の出力信号間における干渉が緩和される。フィルタ３２(Fi1, Fi2)の特性は必要な帯域を通過させるバンドパス特性とされる。
【００７４】
図３は、図２に示すフィルタ３２の特性を示す図である。
【００７５】
図３において横軸は周波数を示す。図３に示すように、例えば中心周波数がfc=2.5MHzの周波数スペクトラムSP1を有する受信信号が２つの第３の乗算器３１(Mi1, Mi2)に入力される。一方の第３の乗算器３１(Mi1)では、周波数がf1=2MHzの信号成分に対して周波数fr=5MHzの参照信号を用いて位相回転処理が行われる。また、他方の第３の乗算器３１(Mi2)では、周波数がf2=3MHzの信号成分に対して周波数fr=5MHzの参照信号を用いて位相回転処理が行われる。
【００７６】
一方の第３の乗算器３１(Mi1)における位相回転の対象となる周波数f1が他方の第３の乗算器３１(Mi1)における位相回転の対象となる周波数f2よりも小さい(f1<f2)とすると、小さい周波数f1を対象とする第３の乗算器３１(Mi1)に接続されるフィルタ３２(Fi1)の特性は、位相回転後における受信信号の中心周波数fc+frよりも低周波側の信号を通過させるバンドパス特性とされる。逆に、大きい周波数f2を対象とする第３の乗算器３１(Mi2)に接続されるフィルタ３２(Fi2)の特性は、位相回転後における受信信号の中心周波数fc+frよりも高周波側の信号を通過させるバンドパス特性とされる。これにより受信信号の周波数スペクトラムSP1と同様な周波数スペクトラムSP2を有する出力信号が得られる。
【００７７】
すなわち、基本的にはフィルタ３２(Fi1) は低域通過型、フィルタ３２(Fi2)は高域通過型となるが、各フィルタ３２(Fi1, Fi2)は、第３の乗算器３１(Mi1, Mi2)の出力信号のうち使用しないサイドバンドおよびノイズの抑制のために不要な高周波領域や低周波領域の信号を除去する帯域通過型とされる。尚、除去されるべきサイドバンドは、第３の乗算器３１(Mi1, Mi2)の出力信号のうち和の周波数成分を使用する場合には差の周波数成分であり、差の周波数成分を使用する場合には和の周波数成分である。
【００７８】
各フィルタ３２(Fi1, Fi2)の出力側は、共通の加算器３３(S)と接続される。そして、加算器３３(S)において、各フィルタ３２(Fi1, Fi2)の出力信号が加算される。従って、各フィルタ３２(Fi1, Fi2) により分割された信号が加算器３３(S)において加算されることとなる。ここで、分割された周波数帯の端部周辺において加算後の信号が乱れないように、各フィルタ３２(Fi1, Fi2)の遮断特性を設定することが重要である。
【００７９】
図４は、図２に示すフィルタ３２の特性の設定方法を示す図である。
【００８０】
図４に示すように、各フィルタ３２(Fi1, Fi2) により分割された周波数帯同士を重ね合わせることによって重畳される信号の通過領域のフィルタ特性が、各フィルタ３２(Fi1, Fi2)によって形成される信号の通過領域のフィルタ特性と同等な平坦度を有するように各フィルタ３２(Fi1, Fi2)の遮断特性を設定することが重要である。第３の乗算器３１が３つ以上（n個）設けられる場合も対応するフィルタ３２の遮断特性を同様に設定することが重要である。
【００８１】
このような特性を有する各フィルタ３２(Fi1, Fi2)の出力信号は、時間遅延によって互いにタイミングの合った相似の波形を有するため、加算器３３(S)における加算によって振幅の大きい１系統の波形を有する信号が得られる。加算器３３(S)において得られる信号の中心周波数はfc＋frとなる。
【００８２】
加算器３３(S)の出力側には、第４のローパスフィルタ３４(LPF)が接続される。加算器３３(S)において得られた信号は、第４のローパスフィルタ３４(LPF)に出力され、第４のローパスフィルタ３４(LPF)において不要なサイドバンドが除去される。
【００８３】
第４のローパスフィルタ３４(LPF)の出力側には、第４の乗算器３５(M)が接続される。第４のローパスフィルタ３４(LPF)において得られた信号は、第４の乗算器３５(M)に出力され、第４の乗算器３５(M)において信号の位相回転処理が行われる。すなわち、第４の乗算器３５(M)において第３の乗算器３１の参照信号と同じ周波数frの参照信号を第４のローパスフィルタ３４(LPF)の出力信号に対して乗算することにより、第４のローパスフィルタ３４(LPF)の出力信号の中心周波数が第３の乗算器３１における位相回転処理前の中心周波数fcに戻される。そして、第４の乗算器３５(M)の出力信号が、受信遅延加算回路２０から出力される遅延加算処理後の受信信号とされる。
【００８４】
すなわち、受信遅延加算回路２０では、複数の受信チャネルで受信された受信信号のタイミングを合わせるために受信チャネルごとに受信信号の時間遅延が行われ、タイミングが合わせられた受信信号が加算器３３(S)により加算されて１系統の受信信号となる。このような受信遅延加算回路２０における信号の処理過程は受信ビームフォーミングと呼ばれ、撮影対象となる部位に受信ビームの焦点を合わせる操作である。換言すれば、受信ビームフォーミングにより各受信チャネルで受信された受信信号の波形がタイミングを合わせたうえで加算され、各受信チャネルで受信された受信信号と相似で振幅の大きい信号が取り出される。
【００８５】
特に図２に示す受信遅延加算回路２０では、受信信号の帯域が分割され、各帯域ごとに乗算器が割り当てられている。そして、各乗算器の参照信号は同じ周波数であり、かつ分割された受信信号の帯域のそれぞれの中心周波数における遅延時間と等価の位相が参照信号用に設定される。さらに、受信遅延加算回路２０は、各乗算器の出力側に受信信号の帯域に応じた特性のフィルタ３２が設けられ、受信信号の帯域の分割に対応するとともに乗算処理によって生じる不要なサイドバンドを除去した後、加算を行う構成とされている。また、受信信号の位相回転後に元の周波数に戻す場合には別の乗算器を用いて位相回転に用いた参照信号と同じ周波数の参照信号を乗算するようにしている。
【００８６】
このような回路構成を有する受信遅延加算回路２０によれば、受信信号の帯域の少なくとも２箇所の複数の周波数において正確に位相回転による等価的な時間遅延を行うことができる。このため、従来の１箇所の周波数における位相回転による等価的な時間遅延に比べ、受信信号全体における遅延精度が向上する。また、乗算器を用いた受信遅延加算回路２０の回路構成はフィルタの存在を含めて考慮したとしても集積回路技術によりきわめて小型に作成することが可能である。従って、２系統の乗算器を受信遅延加算回路２０に設けたとしても受信遅延加算回路２０の回路規模の増加は僅かである。
【００８７】
図５は、図２に示す受信遅延加算回路２０において位相回転を伴って生成される信号を示す図である。
【００８８】
図５（ａ），（ｂ），（ｃ）においてそれぞれ横軸は時間を示し、縦軸は受信信号の強度を示す。図５（ａ）は、受信遅延加算回路２０に入力される２つの帯域を有する受信信号の例を示している。すなわち受信チャネル２の受信信号S2は受信チャネル１の受信信号S1に対して時間遅延Tdiを有する。例えば受信信号S1の中心周波数はfc＝2.5MHzであり、±1MHzの帯域を有する。また、時間遅延はTdi＝50nsec程度である。
【００８９】
図５（ｂ）は、受信信号を複数の帯域に分割し、複数の乗算器を用いて帯域ごとに位相回転処理を行って時間調整された受信信号S1の波形および受信信号S2の波形を示す図である。図５（ｂ）に示すように、受信信号S1の帯域の中心周波数付近のみならず、中心周波数から離れた周波数成分であっても受信信号S2と時間を一致させることができる。
【００９０】
図５（ｃ）は、図５（ｂ）に示す位相回転処理後における受信信号S1および受信信号S2を加算して得られた受信遅延加算回路２０の出力波形S3を示す図である。図５（ｃ）に示すように受信信号の帯域内においてほぼ50nsecの遅延時間を受信信号に与えることができる。この結果、各受信チャネルにおける受信信号の波形にほぼ相似の波形を加算して得られる波形の信号を得ることができる。
【００９１】
すなわち、受信遅延加算回路２０によれば、受信信号の中心周波数から離れた信号成分に対しても適度な遅延を行うことでき、受信音場および画質を改善することができる。また、乗算器は小規模の回路で構成できるため、受信チャネル数が膨大な超音波診断装置１０であっても受信遅延加算回路２０の回路規模を小さく抑えることができる。
【００９２】
尚、受信信号の帯域内における遅延時間の均一性を向上するためには１つの受信チャネルあたりの乗算器の数を増やせば良い。
【００９３】
次に、分割された受信信号の帯域ごとに複数の乗算器を有する受信遅延加算回路２０を３次元超音波診断装置に適用した例について説明する。
【００９４】
図６は、本発明に係る３次元超音波診断装置の実施の形態を示す構成図である。
【００９５】
図６に示す３次元超音波診断装置４０は、２次元アレイプローブ４１と装置本体４２とをプローブケーブル４３で接続して構成される。装置本体４２には、本体側送受信部４４、画像処理ユニット４５および表示部４６が設けられる。また、２次元アレイプローブ４１には、プローブ内蔵送受信部４７および２次元アレイトランスデューサ４８が設けられる。
【００９６】
図７は、図６に示す２次元アレイトランスデューサ４８の構成図である。
【００９７】
図７に示すように、２次元アレイトランスデューサ４８は、例えば６４素子×６４素子=４０９６素子の微小超音波振動子４８Ａを２次元に配列して構成される。
【００９８】
そして、３次元超音波診断装置４０では、微小超音波振動子４８Ａを遅延制御して超音波ビームを形成することによってリアルタイムに３次元撮像を行うことができる。しかしながら、２次元アレイトランスデューサ４８を備えた３次元超音波診断装置４０における受信チャネルの数は1000以上となる。このため、各微小超音波振動子４８Ａからの受信信号の遅延制御を装置本体４２側において行おうとすると、微小超音波振動子４８Ａの数に対応した数の受信遅延回路を装置本体４２に備える必要がある。図７に示す例では、４０９６組の受信遅延回路が必要となる。
【００９９】
このように受信遅延回路を多数設けると回路規模が膨大になり、プローブケーブル４３に収納される信号線の本数が微小超音波振動子４８Ａの数と同等程度、例えば図７の例では、４０９６本必要となる。従って、各微小超音波振動子４８Ａからの受信信号の遅延制御を装置本体４２側で行う構成は、実現性、実用性に欠ける。
【０１００】
そこで、図７に示すように、２次元アレイトランスデューサ４８が数〜十数の微小超音波振動子４８Ａを有するサブアレイ４８Ｂに分割される。図７は、４×４＝１６の微小超音波振動子４８Ａが１つのサブアレイ４８Ｂを形成する例を示している。そして、２次元アレイプローブ４１内でサブアレイ４８Ｂ内における微小超音波振動子４８Ａからの受信信号の遅延加算処理が行われる一方、装置本体４２側で各サブアレイ４８Ｂからの受信信号の遅延加算処理が行われる。そのために、２次元アレイプローブ４１内のプローブ内蔵送受信部４７には、複数のサブアレイ受信遅延加算回路４９が設けられる一方、本体側送受信部４４には、装置本体４２側の遅延加算回路であるメインビームフォーマ５０が設けられる。
【０１０１】
図８は、図６に示すプローブ内蔵送受信部４７の構成を示す回路図である。
【０１０２】
図８に示すように、プローブ内蔵送受信部４７には、複数のプローブ内プリアンプ６０、複数のプローブ内パルサ６１および複数のサブアレイ受信遅延加算回路４９が設けられる。プローブ内プリアンプ６０およびプローブ内パルサ６１は、それぞれ各微小超音波振動子４８Ａと接続される。サブアレイ受信遅延加算回路４９は、サブアレイ４８Ｂごとに設けられ、単一のサブアレイ４８Ｂに対応する複数のプローブ内プリアンプ６０と接続される。
【０１０３】
各プローブ内パルサ６１は、図示しない送信遅延回路から受けた遅延時間を伴って送信信号を対応する微小超音波振動子４８Ａに印加する機能を有する。また、プローブ内プリアンプ６０は、微小超音波振動子４８Ａから受けた受信信号を信号処理が可能なレベルまでに増幅してサブアレイ受信遅延加算回路４９に出力する機能を有する。
【０１０４】
サブアレイ受信遅延加算回路４９は、それぞれサブアレイ４８Ｂ内における微小超音波振動子４８Ａからプローブ内プリアンプ６０を経由して得られる受信信号の遅延加算処理を行う機能を有している。さらに、各サブアレイ受信遅延加算回路４９は、図２に示すような回路構成を有する。すなわち、１つの微小超音波振動子４８Ａからの受信信号の帯域を分割し、分割した信号に対してそれぞれ対応する乗算器を用いて位相回転処理を行うことによって等価的に時間遅延処理を行う。
【０１０５】
このように、各サブアレイ受信遅延加算回路４９の回路構成を受信信号の帯域別に乗算器を用いた構成とすることにより、受信信号の中心周波数から離れた周波数成分の時間遅延精度を維持しつつ、各サブアレイ受信遅延加算回路４９の回路規模を小さくすることができる。この結果、各サブアレイ受信遅延加算回路４９を２次元アレイプローブ４１内に収納することが可能となる。
【０１０６】
サブアレイ受信遅延加算回路４９から出力される遅延加算後の受信信号は、プローブケーブル４３内の対応する信号線を介して装置本体４２側のメインビームフォーマ５０に与えられる。メインビームフォーマ５０は、各サブアレイ４８Ｂに対応する受信信号の遅延加算処理を行う機能を有している。
【０１０７】
すなわち、３次元の超音波受信ビームＢを形成するための遅延加算処理を２段階に分けることによって、遅延加算回路の規模およびプローブケーブル４３内の信号線の本数が低減される。プローブケーブル４３内の信号線は、サブアレイ４８Ｂの数だけ備えればよいことになるため、図７の例では信号線の本数は４０９６／１６=２５６に低減される。
【０１０８】
また、サブアレイ受信遅延加算回路４９の数は、２５６個必要となり、メインビームフォーマ５０は、２５６の受信信号に対する遅延加算処理を行うために必要な回路規模でよいことになる。
【０１０９】
メインビームフォーマ５０の後段には、画像処理ユニット４５が接続され、画像処理ユニット４５の出力側には、表示部４６が接続される。画像処理ユニット４５は、メインビームフォーマ５０において遅延加算された受信信号に対して信号処理および画像処理を施すことにより３次元画像データを生成する機能と、生成した３次元画像データを表示部４６に与える機能とを有する。表示部４６は、CRTやLCD等の表示デバイスで構成され、画像処理ユニット４５から受けた３次元画像データを表示させる機能を有する。
【０１１０】
このように構成された３次元超音波診断装置４０では、本体側送受信部４４から超音波送信ビームＢを形成するための時間遅延を伴う送信信号がプローブケーブル４３内の各信号線を介して２次元アレイプローブ４１内の図示しない送信遅延回路に与えられる。送信信号は、２次元アレイプローブ４１内の送信遅延回路から各プローブ内パルサ６１に与えられる。
【０１１１】
そうすると、各プローブ内パルサ６１は、遅延時間を伴って送信信号を対応する微小超音波振動子４８Ａに印加する。これにより、各微小超音波振動子４８Ａから超音波パルスが送信され、超音波エコーが受信される。各微小超音波振動子４８Ａにおいて受信された超音波エコーは、時間遅延を伴う受信信号として各微小超音波振動子４８Ａから対応するプローブ内プリアンプ６０に与えられる。そして、各プローブ内プリアンプ６０は、それぞれ対応する微小超音波振動子４８Ａから受けた受信信号を信号処理が可能なレベルまでに増幅してサブアレイ受信遅延加算回路４９に出力する。
【０１１２】
各サブアレイ受信遅延加算回路４９では、対応するサブアレイ４８Ｂに属する各微小超音波振動子４８Ａからの受信信号に対して遅延加算処理が行われる。図７に示す例では、１つのサブアレイ受信遅延加算回路４９において、１６個の微小超音波振動子４８Ａからの受信信号に対して遅延加算処理が行われる。サブアレイ受信遅延加算回路４９における遅延加算後の受信信号は、プローブケーブル４３内の信号線を介して本体側送受信部４４のメインビームフォーマ５０に与えられる。
【０１１３】
メインビームフォーマ５０では、各サブアレイ受信遅延加算回路４９における複数の遅延加算後の受信信号に対して遅延加算処理が行われる。これにより生成された遅延加算後の１系統の受信信号は、メインビームフォーマ５０から画像処理ユニット４５に与えられる。画像処理ユニット４５では、メインビームフォーマ５０において遅延加算された受信信号に対して信号処理および画像処理が施され、３次元画像データが生成される。生成された３次元画像データは、画像処理ユニット４５から表示部４６に与えられる。この結果、表示部４６には３次元画像が表示される。
【０１１４】
このように３次元超音波診断装置４０の受信遅延回路の回路構成を、受信チャネルごとに複数の乗算器を備える構成とすることにより、受信信号の帯域内における位相回転による受信信号の等価的な時間遅延処理における誤差を低減することができる。そして、良好な超音波受信ビームＢを形成することができる。
【０１１５】
尚、１次元アレイの超音波振動子１８を備えた超音波プローブ１１を有する超音波診断装置１０および２次元アレイの超音波振動子１８を備えた２次元アレイプローブ４１を有する３次元超音波診断装置４０に設けられる受信信号の遅延加算回路への本発明の適用例について説明したが、実現可能な他のアレイの形態の超音波プローブを有する超音波診断装置１０に設けられる受信信号の遅延加算回路においても本発明は適用可能である。
【０１１６】
また、図１４に示す従来の受信遅延加算回路のように、遅延線と乗算器を組み合わせることもできる。すなわち、並列接続した複数の乗算器と、遅延線とを直列に接続し、位相回転による等価的な時間遅延と直接的な時間遅延の双方を行って受信信号の遅延処理を行うように本発明の受信遅延加算回路を構成することもできる。この場合、遅延線による直接的な時間遅延を併用するため、時間遅延処理の精度を向上させることができる。
【図面の簡単な説明】
【０１１７】
【図１】本発明に係る超音波診断装置の実施の形態を示す構成図。
【図２】図１に示す受信遅延加算回路の構成を示す回路図。
【図３】図２に示すフィルタの特性を示す図。
【図４】図２に示すフィルタの特性の設定方法を示す図。
【図５】図２に示す受信遅延加算回路において位相回転を伴って生成される信号を示す図。
【図６】本発明に係る３次元超音波診断装置の実施の形態を示す構成図。
【図７】図６に示す２次元アレイトランスデューサの構成図。
【図８】図６に示すプローブ内蔵送受信部４７の構成を示す回路図。
【図９】従来の超音波診断装置に備えられる遅延線を用いた受信遅延加算回路の構成図。
【図１０】図９に示す従来の受信遅延加算回路の各遅延線に入力する受信信号の波形を示す図。
【図１１】図９に示す従来の受信遅延加算回路の各遅延線から出力される受信信号の波形を示す図。
【図１２】従来の超音波診断装置に備えられる乗算器を用いた受信遅延加算回路の構成図。
【図１３】図１２に示す従来の受信遅延加算回路の第１の乗算器から出力される受信信号の波形を示す図。
【図１４】従来の超音波診断装置に備えられる遅延線と乗算器の組み合わせによる受信遅延加算回路の構成図。
【図１５】従来の位相回転による受信遅延加算回路において生成される信号を示す図。
【符号の説明】
【０１１８】
１０  超音波診断装置
１１  超音波プローブ
１２  送受信回路
１３  信号処理部
１４  画像処理部
１５  表示部
１６  制御回路
１７  操作パネル
１８  超音波振動子
１９  送信遅延回路
２０  受信遅延加算回路
２１  パルサ
２２  プリアンプ
３０  第３のローパスフィルタ
３１  第３の乗算器
３２  フィルタ
３３  加算器
３４  第４のローパスフィルタ
３５  第４の乗算器
４０  ３次元超音波診断装置
４１  ２次元アレイプローブ
４２  装置本体
４３  プローブケーブル
４４  本体側送受信部
４５  画像処理ユニット
４６  表示部
４７  プローブ内蔵送受信部
４８  ２次元アレイトランスデューサ
４８Ａ  微小超音波振動子
４８Ｂ  サブアレイ
４９  サブアレイ受信遅延加算回路
５０  メインビームフォーマ
６０  プローブ内プリアンプ
６１  プローブ内パルサ
Ｏ  被検体
【図１】
2008183306.tif 000003
【図２】
2008183306.tif 000004
【図３】
2008183306.tif 000005
【図４】
2008183306.tif 000006
【図５】
2008183306.tif 000007
【図６】
2008183306.tif 000008
【図７】
2008183306.tif 000009
【図８】
2008183306.tif 000010
【図９】
2008183306.tif 000011
【図１０】
2008183306.tif 000012
【図１１】
2008183306.tif 000013
【図１２】
2008183306.tif 000014
【図１３】
2008183306.tif 000015
【図１４】
2008183306.tif 000016
【図１５】
2008183306.tif 000017